(57)【要約】【課題】シンクキャビネットにおける本体内のシンク前方に収納部材を容易に取付可能な構造を提供する。【解決手段】収納物を収納する左右に延びる収納ポケット４０において、収納ポケット本体４１の後面部４１ｂの左右両端部に後方になるほど斜め上方に延びる上下のフック部４２ａ，４２ｂを有するフック部材４２を備える。そして、キャビネット本体２のシンク前方の左側側板１１及び中仕切板の対向面に、後方になるほど斜め上方に延びる溝部５２ａと傾斜面部５２ｂとを有し、収納ポケット４０の上側フック部４２ａが溝部５２ａに挿入された状態で収納ポケット４０を支持する支持具５０を備える。【選択図】図３
2008049004.tif 000002
【特許請求の範囲】
【請求項１】
シンクキャビネットにおける本体内のシンク前方に、左右に延びて収納物を収納する収納部材を取り付ける取付構造であって、
前記収納部材は、少なくとも収納物を支持する受け面と背面とを有し、前記受け面上方が前方に開口すると共に、前記背面の左右両端部に後方に延びるフック部が設けられ、かつ、
前記本体のシンク前方の左右両内面に、後方に延びる溝部を有し、前記収納部材のフック部が該溝部に挿入された状態で該収納部材を支持する支持具が備えられていることを特徴とするシンクキャビネットにおける収納部材の取付構造。
【請求項２】
前記請求項１に記載のシンクキャビネットにおける収納部材の取付構造において、
前記収納部材のフック部は、後方になるほど斜め上方に延びると共に貫通孔を有し、
前記支持具は、後方になるほど斜め上方に延びる溝部と前記貫通孔に出没可能なロック部材とを有しており、
前記フック部が前記溝部に斜め下方から挿入された状態で該フック部の貫通孔に前記ロック部材が進出することにより前記収納部材は前記支持具に支持されることを特徴とするシンクキャビネットにおける収納部材の取付構造。
【請求項３】
前記請求項１または請求項２に記載のシンクキャビネットにおける収納部材の取付構造において、
前記収納部材の上面の左右両端部に凹部が設けられており、かつ、
前記本体の左右両内面に、前記収納部材の取付時に前記凹部に係合する係合部材が突設されていることを特徴とするシンクキャビネットにおける収納部材の取付構造。
【請求項４】
前記請求項１に記載のシンクキャビネットにおける収納部材の取付構造において、
前記収納部材のフック部は、後方になるほど斜め下方に延び、
前記支持具は、後方になるほど斜め下方に延びる溝部を有しており、
前記フック部が前記溝部に斜め上方から挿入されることにより前記収納部材は前記支持具に支持されることを特徴とするシンクキャビネットにおける収納部材の取付構造。
【請求項５】
前記請求項１から請求項４のいずれかに記載のシンクキャビネットにおける収納部材の取付構造において、
前記本体内には、引き出しが引出自在に備えられており、
該引き出しが前記本体内に押し込まれた状態で、前記収納部材の開口は、該引き出しの前板で覆われることを特徴とするシンクキャビネットにおける収納部材の取付構造。
【発明の詳細な説明】
【技術分野】
【０００１】
本発明は、キッチンのシンクキャビネットにおける収納部材の取付構造に関し、キッチン家具の技術分野に属する。
【背景技術】
【０００２】
従来、キッチンに設置されるシンクが備え付けられたキャビネットにおいて、本体内のシンク前方の狭い空間を収納空間として有効利用することが考えられている。例えば特許文献１及び特許文献２には、シンク前方に下端部を支点に前方に回転する蓋状部材を設けて、シンク前方に収納空間を形成する技術が開示されている。
【０００３】
また、特許文献３には、図８に示すように、シンクキャビネットＡにおける本体Ａ′内のシンクＢ前方かつ扉Ｃの後方に、収納空間Ｓを有し、本体Ａ′に支持されて左右両側の支軸Ｄ′（一方のみ図示）を支点に矢印ｘ方向に回転する収納部材Ｄを取り付ける構造が開示されている。
【０００４】
そして、特許文献４には、図９に示すように、シンクキャビネットＥにおける本体Ｅ′内のシンクＦ前方に、収納空間Ｓを有し、本体Ｅ′に支持されて下端部左右両側の支軸Ｇ′（一方のみ図示）を支点に上端部が矢印ｘ方向に回転する箱状の収納部材Ｇを取り付ける構造が開示されている。
【０００５】
【特許文献１】実用新案登録第３０７０７４７号公報
【特許文献２】特開２００４−２２９６９９号公報
【特許文献３】実開昭５６−７３３３７号公報
【特許文献４】実開平６−３４０７１号公報
【発明の開示】
【発明が解決しようとする課題】
【０００６】
ところで、前記シンクキャビネットＡ，Ｅでは、いずれも収納部材Ｄ，Ｇを本体Ａ′，Ｅ′に回転可能に固定した構成であるので、例えば工場出荷時にこれら収納部材Ｄ，Ｇを本体Ａ′，Ｅ′に取り付けておくと、これら収納部材Ｄ，Ｇが運搬中に破損した場合、施工現場における取付作業は容易ではないという問題がある。
【０００７】
そこで、本発明は、シンクキャビネットにおける本体内のシンク前方に収納部材を容易に取付可能な構造の提供を課題とする。
【課題を解決するための手段】
【０００８】
前記課題を解決するため、本発明は次のように構成したことを特徴とする。
【０００９】
まず、請求項１に記載の発明は、シンクキャビネットにおける本体内のシンク前方に、左右に延びて収納物を収納する収納部材を取り付ける取付構造であって、前記収納部材は、少なくとも収納物を支持する受け面と背面とを有し、前記受け面上方が前方に開口すると共に、前記背面の左右両端部に後方に延びるフック部が設けられ、かつ、前記本体のシンク前方の左右両内面に、後方に延びる溝部を有し、前記収納部材のフック部が該溝部に挿入された状態で該収納部材を支持する支持具が備えられていることを特徴とする。
【００１０】
次に、請求項２に記載の発明は、前記請求項１に記載の取付構造において、前記収納部材のフック部は、後方になるほど斜め上方に延びると共に貫通孔を有し、前記支持具は、後方になるほど斜め上方に延びる溝部と前記貫通孔に出没可能なロック部材とを有しており、前記フック部が前記溝部に斜め下方から挿入された状態で該フック部の貫通孔に前記ロック部材が進出することにより前記収納部材は前記支持具に支持されることを特徴とする。
【００１１】
また、請求項３に記載の発明は、前記請求項１または請求項２に記載の取付構造において、前記収納部材の上面の左右両端部に凹部が設けられており、かつ、前記本体の左右両内面に、前記収納部材の取付時に前記凹部に係合する係合部材が突設されていることを特徴とする。
【００１２】
また、請求項４に記載の発明は、前記請求項１に記載の取付構造において、前記収納部材のフック部は、後方になるほど斜め下方に延び、前記支持具は、後方になるほど斜め下方に延びる溝部を有しており、前記フック部が前記溝部に斜め上方から挿入されることにより前記収納部材は前記支持具に支持されることを特徴とする。
【００１３】
そして、請求項５に記載の発明は、前記請求項１から請求項４のいずれかに記載の取付構造において、前記本体内には、引き出しが引出自在に備えられており、該引き出しが前記本体内に押し込まれた状態で、前記収納部材の開口は、該引き出しの前板で覆われることを特徴とする。
【発明の効果】
【００１４】
まず、請求項１に記載の発明によれば、ポケット状に形成された収納部材のフック部を支持具の溝部に挿入することにより、シンクキャビネットにおける本体内のシンク前方に収納部材を容易に取付可能となる。したがって、例えば施工現場において収納部材を本体に取り付ける場合にも、手間が掛からない。
【００１５】
次に、請求項２に記載の発明によれば、収納部材のフック部を支持具の溝部に斜め下方から挿入した状態において、フック部の貫通孔とこの貫通孔に進出するロック部材との係合を介し、収納部材は抜け落ちることなくしっかりと支持具に支持される。
【００１６】
さらに、収納部材のフック部を支持具の溝部に斜め下方から挿入する方式であるので、本体上方に天板が固定されている場合であっても、この天板は取付作業の邪魔にならない。したがって、収納部材の取付時にわざわざ天板を取り外す必要はない。しかも、収納部材の上面と天板との間に余計なクリアランスを設けることなく取付可能となる。
【００１７】
また、請求項３に記載の発明によれば、収納部材のフック部を支持具の溝部に挿入するとき、収納部材上面の凹部と本体側の係合部材とを係合させて収納部材をガイドすることができる。したがって、収納部材を位置決めすることができ、取付作業が一層容易になる。特に扱い難い幅広の収納部材の場合に好適である。
【００１８】
一方、請求項４に記載の発明によれば、収納部材のフック部を支持具の溝部に斜め上方から挿入する方式であるので、簡素な構成でありながら、挿入後は収納部材は抜け落ちることなく自重によりしっかりと支持具に支持される。
【００１９】
そして、請求項５に記載の発明によれば、引き出しを引き出すとキャビネット本体前面は広く開放されるので、収納部材の取付作業は一層容易になる。一方、引き出しを本体内に押し込んだ状態で収納部材の開口は引き出しの前板で覆われるので、収納部材や収納物の露出を極力抑えることができ、見栄えがよく、外観的に一体感を備えたシンクキャビネットが実現される。
【発明を実施するための最良の形態】
【００２０】
本発明の実施の形態について説明する。
【００２１】
図１及び図２に示すように、本実施の形態に係るシンクキャビネット１は、上面及び前面が開放された本体２を有し、この本体２の上面をワークトップ３で覆うようになっている。そして、ワークトップ３にはシンク３′が設けられており、このシンク３′には、図示しない排水管が接続されている。
【００２２】
キャビネット本体２は、左右一対の側板１１，１１と、その間で右側側板１１寄りに配置された中仕切板１２と、左右側板１１，１１の後端部間に架設された背板１３と、同じく下端部間に架設された前後一対の底桟１４，１４と、同じく下部後方の切欠部１１′，１１′（一方のみ図示）近傍間に架設された後桟１５とを有している。そして、本体２内の中仕切板１２を境にして左右に、上段及び下段引き出し１６，１７，１８，１９がレール機構２０…２０を介して矢印ａ方向に引出自在に収納されている。
【００２３】
左側の引き出し１６，１７について説明すると、まず、上段引き出し１６は、引き出し側レール部材を兼ねる左右一対の側壁２１，２１（一方のみ図示）と、側壁２１，２１の下端部間に架設された底板２２と、同じく前端部間に架設された前板２３と、同じく後端部間に架設された背板２４とを有し、前板２３と背板２４との間に左右一対の棒状部材２５，２５（一方のみ図示）が架設されている。そして、前板２３の上部に取っ手２６が取り付けられている。
【００２４】
また、下段引き出し１７は、引き出し側レール部材を兼ねる左右一対の側壁３１，３１（一方のみ図示）と、側壁３１，３１の下端部間に架設された底板３２と、同じく前端部間に上下に分割して架設された前板３３ａ，３３ｂと、同じく後端部間に架設された背板３４とを有し、上側前板３３ａと背板３４との間に左右一対の棒状部材３５，３５（一方のみ図示）が架設されている。その場合、下側前板３３ｂは蹴込み部に位置し、上側前板３３ａに対して若干後退して設けられている。
【００２５】
なお、右側の上段及び下段引き出し１８，１９は、幅寸法を除いて前述した左側の上段及び下段引き出し１６，１７と略同様の構成であるので、説明を省略する。
【００２６】
そして、キャビネット本体２における中仕切板１２より左側部分に、収納物を収納する幅広の収納ポケット４０が、本体２のシンク３′前方の左右両内面つまり左側側板１１及び中仕切板１２の対向面に固定された一対の支持具５０，５０に支持されて取り付けられている。
【００２７】
図３に示すように、収納ポケット４０の本体４１は、長尺の押出樹脂成形品を所定長さに切断したものであり、下方の底部４１ａと、上方の頭部４１ｂと、底部４１ａから起立する前方の前面部４１ｃと、底部４１ａと頭部４１ｂとを後方で連結する後面部４１ｄとを有している。そして、底部４１ａと前面部４１ｃと後面部４１ｄ下部とによる収納物の下端部を受ける受け面部４１′と、この受け面部４１′上方の前方開口４１″と、収納物を収納する収納空間Ｓとが形成されている。この場合、収納空間Ｓに、例えばゴミ袋、レジ袋、三角コーナ、鍋つかみ、鍋敷き、ふきん等、比較的薄手の収納物を収納することができる。
【００２８】
さらに、頭部４１ｂには、凹部４１ｂ′が、また、底部４１ａ及び頭部４１ｂには、左右に貫通する符号を省略した空洞が設けられている。そして、取付状態において、頭部４１ｂ上端は、ワークトップ３で覆われるキャビネット本体２上面に略面一とされ、頭部４１ｂ前面及び前面部４１ｃは、キャビネット本体２前面に略面一とされている。
【００２９】
また、後面部４１ｄの左右両端部の比較的下部には、それぞれ金属製のフック部材４２，４２（一方のみ図示）がネジ４３…４３で固定されている。このフック部材４２は、後方になるほど斜め上方に延びる上下のフック部４２ａ，４２ｂを有しており、上側フック部４２ａには、貫通孔４２ａ′が設けられている。
【００３０】
また、収納ポケット本体４１の前方開口４１″は、上側引き出し１６の上下に延びて収納ポケット本体４１の頭部４１ｂ下部に達する前板２３で覆われるように構成されている。さらに、収納ポケット本体４１の頭部４１ｂ下部やキャビネット本体２の側板１１の前方端面等の箇所に、樹脂製の防虫パッキン４４，４４が両面粘着テープ等の適宜の手段により貼付されている。
【００３１】
一方、一対の支持具５０，５０は金属製であり、左側側板１１内面の上部箇所に固定された支持具５０は、側板１１に固定するための取付部材５１と、前記収納ポケット４０に対面する本体５２とを有している。また、取付部材５１は、ネジ５３，５３で側板１１に固定され、取付部材５１と本体５２とは、別なるネジ５４で一体化されている。なお、中仕切板１２に固定された支持具５０についても事情は同様であるので、説明を省略する。
【００３２】
支持具本体５２は、上部に前記フック部材４２の上側フック部４２ａを挿入可能に、後方になるほど斜め上方に延びる溝部５２ａと、下端部に同じく下側フック部４２ｂに上方から係合可能に、後方になるほど斜め上方に傾斜する係合面部５２ｂとを有している。
【００３３】
また、支持具本体５２は、下端部を支点に矢印ｂ，ｂ′方向に揺動する概ね上下に延びるレバー部５２ｃを内装しており、このレバー部５２ｃの略中間部には、前記上側フック部４２ａの貫通孔４２ａ′に出没可能なロック部５２ｃ′が突設されている。その場合、レバー部５２ｃ上部は、支持具本体５２内に備えられた図示しない板バネにより常時矢印ｂ′方向に付勢されている。
【００３４】
したがって、レバー部５２ｃを板バネの付勢力に抗して矢印ｂ方向に操作すれば、拡大断面図にて二点鎖線で示すようにロック部５２ｃ′を上側フック部４２ａの貫通孔４２ａ′から退避させ、収納ポケット４０と支持具５０とのロック状態を解除することができ、一方、レバー部５２ｃを板バネの付勢力にしたがって矢印ｂ′方向に戻せば、同じく拡大断面図にて実線で示すようにロック部５２ｃ′を上側フック部４２ａの貫通孔４２ａ′に進出させ、収納ポケット４０と支持具５０とをロック状態にすることができる。
【００３５】
また、左側側板１１内面の上部箇所に、いずれも円柱状の上方の第１係合部材６１と下方の第２係合部材６２とが突設されている。第１係合部材６１は、取付状態の収納ポケット４０における凹部４１ｂ′に嵌り込む位置関係で、一方、第２係合部材６２は、同じく収納ポケット４０における後面部４１ｄの上部に背後から当接する位置関係で設けられている。なお、中仕切板１２にも第１係合部材６１と第２係合部材６２とが突設されているが、事情は同様であるので、説明を省略する。
【００３６】
そして、図１及び図３に示すように、収納ポケット４０の頭部４１ｂ直下の左右両端部及び中間部に、それぞれ箱状に組み付けられた固定具７０…７０が固定されており、隣接する一対の固定具７０，７０間に、それぞれ後面部４１ｄとの間に収納物の上部を挟み付けて保持する押えバー８０が取り付けられている。
【００３７】
ここで、シンクキャビネット１における収納ポケット４０の取付手順の一例について説明する。
【００３８】
まず、図４に示すように、上側引き出し１６を引き出してキャビネット本体２前面を広く開放した上で、収納ポケット４０を若干後傾させた状態で、ワークトップ３が設けられている場合にはこれを避けつつ白矢印方向に移動させて、収納ポケット本体４１の頭部４１ｂに設けられた凹部４１ｂ′に、側板１１内面に突設された第１係合部材６１を位置させると共に、フック部材４２を側板１１内面に固定された支持具５０に接近させる。なお、説明を省略するが、中仕切板１２側においても事情は同じである。
【００３９】
次いで、図５に示すように、ワークトップ３との干渉を避けつつ凹部４１ｂ′に第１係合部材６１を位置させた状態で収納ポケット４０を白矢印方向に移動させて支持具５０にさらに接近させて、フック部材４２の上側フック部４２ａを支持具本体５２の溝部５２ａに挿入する。すると、突入する上側フック部４２ａによりロック部５２ｃ′は板バネの付勢力に抗して溝部５２ａから退避させられる（図３における拡大断面図参照）。同時に、レバー部５２ｃは矢印ｂ方向に揺動する。その場合、上側フック部４２ａの突入によりロック部５２ｃ′が貫通孔４２ａ′から退避し難い場合には、レバー部５２ｃを矢印ｂ方向に操作すればよい。なお、説明を省略するが、中仕切板１２側においても事情は同じである。
【００４０】
さらに収納ポケット４０を白矢印方向に移動させると、下側フック部４２ｂが支持具本体５２の係合面部５２ｂに沿って係合すると共に、板バネの付勢力にしたがって支持具本体５２のロック部５２ｃ′がフック部材４２の上側フック部４２ａの貫通孔４２ａ′に進出するようになる。そして、収納ポケット本体４１の後面部４１ｄと第２係合部材６２とが当接するようになり、図３に示した状態が実現されて取り付けが完了する。
【００４１】
すなわち、図３に示したように、支持具５０に取付状態の収納ポケット４０は、フック部材４２と支持具本体５２との係合、凹部４１ｂ′と第１係合部材６１との係合、及び後面部４１ｄと第２係合部材６２との係合を介し、安定した取付構造が実現される。そして、第１及び第２係合部材６１，６２は、上側引き出し１６がキャビネット本体２内に押し込まれたとき、防虫パッキン４４を介して押圧される収納ポケット本体４１上部をしっかりと支持することになる。
【００４２】
なお、取付後、収納ポケット４０を取り外す必要がある場合には、左右両端部の支持具５０，５０のレバー部５２ｃ，５２ｃを図３に示すように矢印ｂ方向に操作すれば、上側フック部４２ａの貫通孔４２ａ′からロック部５２ｃ′が二点鎖線で示すように退避することになる。この状態で斜め下方に移動させることにより、収納ポケット４０を支持具５０ひいてはキャビネット本体２から取り外すことは可能である。
【００４３】
以上のように構成したことにより、図３に示したように、収納ポケット４０の上側フック部４２ａを支持具５０の溝部５２ａに挿入すれば、シンクキャビネット１における本体２内のシンク３′前方に収納ポケット４０を容易に取付可能となる。したがって、例えば施工現場において収納ポケット４０をキャビネット本体２に取り付ける場合にも、手間が掛からない。
【００４４】
また、収納ポケット４０の上側フック部４２ａを支持具５０の溝部５２ａに斜め下方から挿入した状態において、上側フック部４２ａの貫通孔４２ａ′とこの貫通孔４２ａ′に進出するロック部５２ｃ′との係合を介し、収納ポケット４０は抜け落ちることなくしっかりと支持具５０に支持される。
【００４５】
さらに、収納ポケット４０の上側フック部４２ａを支持具５０の溝部５２ａに斜め下方から挿入する方式であるので、キャビネット本体２上方にワークトップ３が固定されている場合であっても、図４及び図５に示したように、収納ポケット４０の頭部４１ｂはキャビネット本体２上面から突出しなく、ワークトップ３は取付作業の邪魔にならない。したがって、収納ポケット４０の取付時にわざわざワークトップ３を取り外す必要はない。しかも、収納ポケット４０の上面つまり頭部４１ｂとワークトップ３との間に余計なクリアランスを設けることなく取付可能となる。
【００４６】
また、図４及び図５に示したように、収納ポケット４０の上側フック部４２ａを支持具５０の溝部５２ｂに挿入するとき、収納ポケット４０上面つまり頭部４１ｂの凹部４１ｂ′とキャビネット本体２側の第１係合部材６１とを係合させて収納ポケット４０をガイドさせることができる。したがって、収納ポケット４０を位置決めすることができ、取付作業が一層容易になる。特に扱い難い幅広の収納ポケット４０の場合に好適である。
【００４７】
そして、図４及び図５に示したように、上側引き出し１６を引き出すとキャビネット本体２前面は広く開放されるので、収納ポケット４０を支持具５０に取り付けるのが一層容易になる。一方、図３に示したように、上側引き出し１６をキャビネット本体２内に押し込んだ状態で収納ポケット４０の開口４１″は上側引き出し１６の前板２３で覆われるので、収納ポケット４０や収納物の露出を極力抑えることができ、見栄えがよく、外観的に一体感を備えたシンクキャビネット１が実現される。
【００４８】
次に、他の実施の形態について説明する。なお、前記実施の形態におけると同様あるいは類似の構成要素については、混乱を招かない限り同じ符号を用いることにする。
【００４９】
図６に示すように、この場合の収納ポケット１４０の本体１４１は、下方の底部１４１ａと、上方の頭部１４１ｂと、底部１４１ａから起立する前方の前面部１４１ｃと、底部１４１ａと頭部１４１ｂとを後方で連結する後面部１４１ｄとを有し、受け面部１４１′と前方開口１４１″と収納空間Ｓとが形成されている。
【００５０】
また、後面部１４１ｄの左右両端部には、それぞれ金属製のフック部材１４２，１４２（一方のみ図示）が固定されている。このフック部材１４２は、後方になるほど斜め下方に延びる上下のフック部１４２ａ，１４２ｂを有している。
【００５１】
また、前記左右一対のフック部材１４２，１４２に対応する左右一対の支持具１５０，１５０（一方のみ図示）は、キャビネット本体２内面つまり左側側板１１及び中仕切板１２の対向面の上部箇所に固定されており、一例として左側側板１１側について説明すると、左側側板１１に固定するための取付部材１５１と、前記収納ポケット１４０に対面する本体１５２とを有している。
【００５２】
そして、支持具本体１５２は、フック部材１４２の上側及び下側フック部１４２ａ，１４２ｂを挿入可能に、後方になるほど斜め下方に延びる上下の溝部１５２ａ，１５２ｂを有している。
【００５３】
ここで、前記収納ポケット１４０の取付手順の一例について説明する。この場合、キャビネット本体２上方には、ワークトップ３は設けられていないものとする。
【００５４】
すなわち、図７に示すように、上側引き出し１６を引き出してキャビネット本体２前面を広く開放した上で、収納ポケット１４０を上方から白矢印方向に移動させて、収納ポケット本体１４１の後面部１４１ｄに固定されたフック部材１４２の上下のフック部１４２ａ，１４２ｂを、キャビネット本体２の左側側板１１内面に固定された支持具１５０の本体１５２の溝部１５２ａ，１５２ｂに斜め上方から挿入する。なお、説明を省略するが、中仕切板１２側においても同様である。その結果、図６に示した状態が実現されて取り付けが完了する。
【００５５】
以上のように構成したことにより、収納ポケット１４０の上下のフック部１４２ａ，１４２ｂを支持具１５０の上下の溝部１５２ａ，１５２ｂに挿入すれば、前記実施の形態におけると同様に、シンクキャビネット１における本体２内のシンク３′前方に収納ポケット１４０を容易に取付可能となる。したがって、例えば施工現場において収納ポケット１４０をキャビネット本体２に取り付ける場合にも、手間が掛からない。
【００５６】
そして、収納ポケット１４０の上下のフック部１４２ａ，１４２ｂを支持具１５０の上下の溝部１５２ａ，１５２ｂに斜め上方から挿入する方式であるので、簡素な構成でありながら、挿入後は収納ポケット１４０は抜け落ちることなく自重によりしっかりと支持具１５０に支持される。
【００５７】
なお、本発明は、具体的に詳述した前記実施の形態に限定されることはなく、本発明の趣旨に沿うものであればよい。
【産業上の利用可能性】
【００５８】
以上説明したように、本発明によれば、シンクキャビネットにおける本体内のシンク前方に収納部材を容易に取付可能な構造が提供される。すなわち、本発明は、キッチン家具の技術分野に広く好適である。
【図面の簡単な説明】
【００５９】
【図１】本発明の実施の形態に係るシンクキャビネットの一部を破断した正面図である。
【図２】図１のＩＩ−ＩＩ線による拡大断面図である。
【図３】収納ポケットの取付構造を示す断面図である。
【図４】収納ポケットの取付手順の一例を説明するための図３に相当する断面図である。
【図５】同じく図３に相当する断面図である。
【図６】他の実施の形態に係る収納ポケットの取付構造を示す断面図である。
【図７】同じく収納ポケットの取付手順の一例を説明するための図６に相当する断面図である。
【図８】従来の収納部材の取付構造を示す断面図である。
【図９】従来の別なる収納部材の取付構造を示す断面図である。
【符号の説明】
【００６０】
１          シンクキャビネット
２          キャビネット本体（本体）
３′        シンク
１６        上側引き出し（引き出し）
２３        前板
４０，１４０        収納ポケット（収納部材）
４１′，１４１′    受け面部（受け面）
４１″，１４１″    前方開口
４１ｂ′    凹部
４１ｄ      後面部（背面）
４２ａ，１４２ａ    上側フック部（フック部）
４２ａ′    貫通孔
５０，１５０        支持具
５２ａ，１５２ａ    溝部
５２ｃ′    ロック部（ロック部材）
６１        第１係合部材（係合部材）
【図１】
2008049004.tif 000003
【図２】
2008049004.tif 000004
【図３】
2008049004.tif 000005
【図４】
2008049004.tif 000006
【図５】
2008049004.tif 000007
【図６】
2008049004.tif 000008
【図７】
2008049004.tif 000009
【図８】
2008049004.tif 000010
【図９】
2008049004.tif 000011